(57)【要約】      （修正有）【課題】電力等のエネルギーを必要としない簡素な物品前出し機能を有し、棚板に傾斜を与えることなく用いることができ、棚上に配置する前に組み立てることが容易な物品前出し器具を提供する。【解決手段】レール２ａに沿って展張される巻きバネ４の付勢力により載置物品を前方に付勢する可動部３を有する物品前出しユニット１が連結バー８を介して複数連結されてなる物品前出し器具であって、連結バーが、物品前出しユニットに設けられたガイド部２ｂに対し着脱可能に挿入されている。【選択図】図２
0003219875.tif 000002
【実用新案登録請求の範囲】
【請求項１】
載置物品を前方に付勢する可動部を有する物品前出しユニットが連結バーを介して複数連結されてなる物品前出し器具であって、
前記連結バーが、前記物品前出しユニットに設けられたガイド部に対し着脱可能に挿入されていることを特徴とする物品前出し器具。
【請求項２】
隣り合う前記物品前出しユニットの間を仕切る仕切板を保持する仕切板ホルダーが、前記連結バーに対し着脱可能に挿入されている、請求項１に記載の物品前出し器具。
【請求項３】
前記ガイド部の内側に設けられた突起が前記連結バーに設けられた凹部をガイドすることにより、前記ガイド部に挿入された前記連結バーが位置決めされる、請求項１または２に記載の物品前出し器具。
【請求項４】
前記突起が前記連結バーに延設された凸部に当接する、請求項１〜３のいずれかに記載の物品前出し器具。
【考案の詳細な説明】
【技術分野】
【０００１】
本考案は、奥行方向に物品が配列され、最前列の物品が棚上から取り去られると２列目にあった物品を最前列へと送る機能を有する物品前出し器具に関する。
【背景技術】
【０００２】
従来、商品を最前列に送って空きスペースを詰める機構を有する商品陳列棚としてコンベア式のものが知られている。たとえば特許文献１には、モータ駆動型のベルトコンベア式商品陳列棚と、重力駆動型のころコンベア式商品陳列棚が記載されている。また、特許文献３には、棚板の上面に高滑り性能を付与した重力駆動型の商品陳列棚が記載されている。
【０００３】
また特許文献２には、物品を列状に収納可能な収納棚として、ばねの付勢力によって物品を物品出し入れ口に向けて押し付ける方式のものが記載されている。さらに、特許文献４、５には、帯状体（帯状テープ、帯状鋼板）の復元力によって押圧体が物品を前方に押し出す方式のものが記載されている。
【先行技術文献】
【特許文献】
【０００４】
【特許文献１】特開平０７−１４３９２７号公報
【特許文献２】特開２００３−２６７５２０号公報
【特許文献３】特開２００７−０８２７７９号公報
【特許文献４】特開２００５−１１０７４１号公報
【特許文献５】国際公開ＷＯ２００７／０２０７２５号
【特許文献６】実用新案登録第３１９３１４６号公報
【特許文献７】国際公開ＷＯ２００９／１４５１６０号
【考案の概要】
【考案が解決しようとする課題】
【０００５】
特許文献１〜５に記載される商品陳列棚等をより使いやすくした例として、特許文献６には、電力等のエネルギーを必要としない簡素な物品前出し機能を有し、棚板に傾斜を与えることなく用いることができる物品前出し器具が記載されている。また、特許文献７には、電力等のエネルギーを必要としない簡素な物品前送り機能を有し、物品の包装状態によらず用いることができる物品配列棚が記載されている。これらのような物品前出し器具を事前に組み立てた状態で棚上に置くだけで即使用できる構造であればなお便利である。
【０００６】
そこで本考案の課題は、棚上に配置する前に組み立てることが容易な物品前出し器具を提供することにある。
【課題を解決するための手段】
【０００７】
上記課題を解決するために、本考案に係る物品前出し器具は、載置物品を前方に付勢する可動部を有する物品前出しユニットが連結バーを介して複数連結されてなる物品前出し器具であって、前記連結バーが、前記物品前出しユニットに設けられたガイド部に対し着脱可能に挿入されていることを特徴とするものからなる。ガイド部は、物品前出しユニットの前端および／または後端、あるいは前端と後端の中間点等に設けることができる。このような物品前出し器具によれば、物品前出しユニットを連結バーの任意の位置に容易に移動させて固定することができるので、複数の物品前出しユニットを連結した状態で運搬し、商品陳列棚等の上に設置することが可能となる。
【０００８】
本考案に係る物品前出し器具において、隣り合う前記物品前出しユニットの間を仕切る仕切板を保持する仕切板ホルダーが、前記連結バーに対し着脱可能に挿入されていることが好ましい。このような構成を有することにより、物品前出しユニットばかりでなく隣り合う物品前出しユニット間の仕切板をも任意の位置に容易に移動させて固定することができる。
【０００９】
本考案に係る物品前出し器具において、前記ガイド部に設けられた突起が前記連結バーに設けられた凹部をガイドすることにより、前記ガイド部に挿入された前記連結バーが位置決めされることが好ましい。ガイド部にこのような突起を設けることにより、物品前出しユニットを複数連結する作業の効率化が図られる。
【００１０】
本考案に係る物品前出し器具において、前記突起が前記連結バーに延設された凸部に当接することが好ましい。突起と凸部の当接により、物品前出しユニットと連結バーとの間のがたつきを効果的に抑制することができる。
【００１１】
本考案に係る物品前出し器具は、前記載置物品をレールに沿って展張される巻きばねの付勢力によって前方に付勢する前記可動部と、前記レールの後端側にて前記可動部を傾けることにより前記可動部と係合可能に設けられた係合部とを有し、前記可動部が前記レールの切欠きを通して装着され、前記係合部が、前記可動部を傾けることにより前記可動部との係合が解除されるように構成可能である。あるいは、展張された状態でその上に前記載置物品を配列可能な柔軟性を有するシートと、該シートの一端部が固定され、前記シートを反展張方向に巻き取るローラと、該シートの巻き取り方向に前記ローラを回転させる駆動手段と、前記シート上に配列される前記載置物品のうち最前列の載置物品が当接する塀部とを有し、前記シート上に前記載置物品が配列される際に、前記最前列の載置物品が前記塀部に当接することにより、前記駆動手段による前記シートの巻き取り動作を停止させるように構成することも可能である。
【考案の効果】
【００１２】
本考案に係る物品前出し器具によれば、傾斜のない水平な棚板を用いつつ、電力等のエネルギーを必要としない簡素な物品送り機能を実現するとともに、商品陳列棚等に設置して使用できる状態にするための作業を著しく効率的に行うことが可能である。
【図面の簡単な説明】
【００１３】
【図１】本考案の一実施態様に係る物品前出し器具を構成する物品前出しユニットを示す概略斜視図である。
【図２】図１の物品前出しユニットの構造を示す概略図である。
【図３】図１の物品前出しユニットの動作を説明するための模式図である。
【図４】図１の物品前出し器具における仕切板の固定方法を説明するための模式図である。
【考案を実施するための形態】
【００１４】
以下に、本考案に係る物品前出し器具を、図１〜図４を参照して説明する。図１は、本考案に係る物品前出しユニット１を示す概略斜視図であり、特に、物品前出しユニット１の可動部３が、本体２の後方に係合した状態を表している。図１において、物品前出しユニット１の本体２は、一対のレール２ａと、物品前出しユニット１の前端および後端に設けられたガイド部２ｂと、巻きばね４を係止するための突起２ｃとを有している。巻きばね４の前方側端部には略長円状の穴４ａが形成されており、穴４ａに突起２ｃが挿入されることによって巻きばね４の前方側端部が本体に対し係止されている。また、巻きばね４の後方側端部は、レール２ａに沿って移動可能に設けられた可動部３に係合しており、レール２ａに沿って展張される巻きばね４の付勢力によって可動部３が前方に付勢されている。可動部３の最前面には載置物品に接する背板３ａが備えられており、可動部３の上部には、補助背板を装着するための一対のスリット３ｂが形成されている。
【００１５】
図２は、物品前出しユニット１において可動部３と本体２の係合が解除された状態を示しており、（Ａ）は側面図、（Ｂ）はガイド部２ｂおよび連結バー８を省略して描いた背面図、（Ｃ）は上面図である。
【００１６】
図２に示す通り、ガイド部２ｂは断面略Ｃ字状に形成されており、ガイド部２ｂの内側には連結バー８が図２（Ｃ）の矢印方向に挿入される。このとき本体２の前端および後端でガイド部２ｂの内側に突設された突起２ｇが、連結バー８に設けられた凹部にガイドされることにより連結バー８が位置決めされ、さらに突起２ｇが連結バー８の内側に延設された凸部と当接することにより連結バー８がガイド部２ｂ内に固定される。図２に示す構成のほか、ガイド部２ｂを断面略逆Ｌ字状に形成し、ガイド部２ｂの下端が連結バー８に当接するよう連結バー８の下底面がそれぞれ前端側および後端側に突き出す構成を採用してもよい。
【００１７】
可動部３には軸部３ｄが設けられており、巻きばね４の端部は、図２の（Ｂ）および（Ｃ）に示すように、この軸部３ｄに捲回された状態で係合している。そして図１に示すように、巻きばね４の付勢に抗して可動部３を物品前出しユニット１の後方に係止させることができる。
【００１８】
さらに、本体２の底面には複数の磁石２ｅが接着されており、物品前出しユニット１を配置する棚部が鉄などの金属からなる場合には、物品前出しユニット１を棚部に対して磁力で吸着させることができる。
【００１９】
図１〜２に示される通り、物品前出しユニット１は、レール２ａや磁石２ｅなどを備えた本体２と、レール２ａに沿って移動可能に設けられレール２ａの切欠き２ｆを通して装着される可動部３（可動部材）と、レール２ａに沿って展張され可動部３を前方に付勢する巻きばね４、の実質的に３つの部品のみで構成されている。このような構成によれば、部品点数が非常に少なくて済むため、製造コストを低く抑えることができる。また、組立作業としては、巻きばね４および可動部材３を本体に取り付けた上で、ガイド部２ｂに連結バー８を挿入するだけで良く、ねじなどの追加部材が必要ないため、非熟練者でも容易に組み立てることができ、物品の配列作業が迅速化される。
【００２０】
図３は、物品前出しユニット１の動作を説明するための模式図である。図３の（Ａ）〜（Ｃ）において、物品前出しユニット１は磁石２ｅによって金属製の棚５に固定されており、棚５の前方には、配列された物品を所定の位置で停止させるための塀部５ａが設けられている。まず、図３（Ａ）に示すように、巻きばね４の付勢力によって前方に付勢されている可動部３を、本体２の後方に備えられた係合部２ｄに係合させる。次に、図３（Ｂ）に示すように、複数の物品６をレール２ａに沿って配列する。その後、図３（Ｂ）の矢印Ｂの方向に可動部３を軽く傾け、可動部３と係合部２ｄの係合を解除すると、巻きばね４により付勢された可動部３はレール２ａに沿って前方に移動し、物品６を前方に搬送する。そして、図３（Ｃ）に示すように最前列の物品６が塀部５ａに当接されている状態に達すると、可動部３を介して巻きばね４が最前列の物品６に及ぼす力と、最前列の物品６が塀部５から受ける力とがつり合って、それ以上に巻きばね４が巻き取られなくなるため、可動部３の搬送動作は停止する。
【００２１】
レール２ａ上に配列された物品６が図の左側から取り出されると、巻きばね４により付勢された可動部３がレール２ａ上に残された物品６を前方に押し出し、物品６は左側に移動する。すなわち、最前列の物品６がレール２ａ上から取り去られると、力のつり合いがくずれ、巻きばね４に付勢された可動部３が物品前出しユニット１の前方向に物品６を搬送し、前から２列目の位置にあった物品が最前列の位置に移動する。するとまた、最前列の物品が塀部５ａに当接された状態となるので、再び可動部３の搬送動作は停止する。
【００２２】
なお、図３に示すように、レール２ａの高さは、巻きばね４を係止するための突起２ｃよりも高いことが好ましい。このような構成によれば、レール２ａ上に載置された物品は、基本的に突起２ｃと接触することなくレール２ａ上を円滑に移動することができる。
【００２３】
図４は、図１の物品前出し器具における仕切板９の固定方法を説明するための模式図であり、（Ａ）は側面図、（Ｂ）は仕切板ホルダー１０の斜視図、（Ｃ）は上面図である。連結バー８によって並列に連結された隣り合う物品前出しユニットの間には、載置された物品６が隣りの列に載置された異種物品と混ざることを防止するために仕切板９を設けることができる。図２に示した通り、物品前出し器具の前端および後端に設けられたガイド部２ｂの内側には連結バー８が図２（Ｃ）の矢印方向に挿入され、隣り合う物品前出しユニットの間では、連結バー８の内側に仕切板ホルダー１０が図４（Ｃ）の矢印方向に挿入される。仕切板９は前端および後端の仕切板ホルダー１０で保持されて所定の位置に固定される。
【産業上の利用可能性】
【００２４】
本考案に係る物品前出し器具によれば、設置面の傾斜の有無にかかわらず、電力等のエネルギーを必要としない簡素な物品前送り機能を実現することができるとともに、棚上に配置する前の段階で簡易な作業にて個々の物品前出しユニットを連結し、容易に組み立てることができる。本考案の物品前出し器具は、例えば、コンビニエンスストアなどに設置される商品陳列棚や、倉庫に設置される物品配列棚に適用可能であり、とくに商品陳列棚に好適に用いることができる。
【符号の説明】
【００２５】
１  物品前出しユニット
２  本体
２ａ  レール
２ｂ  ガイド部
２ｃ、２ｇ  突起
２ｄ  係合部
２ｅ  磁石
２ｆ  切欠き
３  可動部
３ａ  背板
３ｂ  スリット
３ｃ  突起
３ｄ  軸部
４  巻きばね
４ａ  穴
５  棚
５ａ  塀部
６  物品
８  連結バー
９  仕切板
１０  仕切板ホルダー
【図１】
0003219875.tif 000003
【図２】
0003219875.tif 000004
【図３】
0003219875.tif 000005
【図４】
0003219875.tif 000006
【手続補正書】
【提出日】平成30年12月3日(2018.12.3)
【手続補正１】
【補正対象書類名】実用新案登録請求の範囲
【補正対象項目名】全文
【補正方法】変更
【補正の内容】
【実用新案登録請求の範囲】
【請求項１】
載置物品を前方に付勢する可動部を有する物品前出しユニットが連結バーを介して複数連結されてなる物品前出し器具であって、
前記連結バーが、前記物品前出しユニットに設けられたガイド部に対し着脱可能に挿入されていることを特徴とする物品前出し器具。
【請求項２】
隣り合う前記物品前出しユニットの間を仕切る仕切板を保持する仕切板ホルダーが、前記連結バーに対し着脱可能に挿入されている、請求項１に記載の物品前出し器具。
【請求項３】
前記ガイド部の内側に設けられた突起が前記連結バーに設けられた凹部をガイドすることにより、前記ガイド部に挿入された前記連結バーが位置決めされる、請求項１または２に記載の物品前出し器具。
【請求項４】
前記突起が前記連結バーに延設された凸部に当接する、請求項３に記載の物品前出し器具。